(57)【特許請求の範囲】
【請求項１】
撮像素子と前記撮像素子が実装された制御基板とを含む撮像ユニットと、
前記撮像素子へ入射する光量を調節する羽根と前記羽根を駆動するための駆動源とを含むシャッタユニットとを備えた撮像装置であって、
前記シャッタユニットは、前記駆動源のコイルと電気的に接続された端子部を含み、
前記端子部は、前記シャッタユニットの外部へ突出して前記制御基板と接触することにより電気的に接続され、
前記端子部及び前記撮像ユニットは、互いに位置決めする位置決め手段を備え、
前記シャッタユニットは、前記端子部を介して前記撮像ユニットと位置決めされている、ことを特徴とする撮像装置。
【請求項２】
前記端子部は、該端子部の弾性復元力により前記制御基板に圧接している、ことを特徴とする請求項１に記載の撮像装置。
【請求項３】
前記撮像ユニットは、前記端子部を逃がす凹部を有している、ことを特徴とする請求項１又は２に記載の撮像装置。
【請求項４】
光軸方向から視て矩形状に形成されている、ことを特徴とする請求項１乃至３の何れかに記載の撮像装置。
【請求項５】
前記端子部は、略矩形状に形成された前記シャッタユニットの隅部から突出している、ことを特徴とする請求項１乃至４の何れかに記載の撮像装置。
【請求項６】
前記位置決め手段は、前記端子部及び撮像ユニットのいずれか一方に形成された孔部と、他方に形成されて前記孔部と係合する突部とを含む、ことを特徴とする請求項１乃至５の何れかに記載の撮像装置。
【請求項７】
前記位置決め手段は、前記端子部及び撮像ユニットのいずれか一方に形成された切欠部と、他方に形成されて前記切欠部と係合する突部とを含む、ことを特徴とする請求項１乃至５の何れかに記載の撮像装置。
【発明の詳細な説明】
【技術分野】
【０００１】
本発明は、撮像装置に関する。
【背景技術】
【０００２】
従来から、撮像素子を含む撮像ユニットと、撮像ユニットに入射する光量を調整可能な羽根を含むシャッタユニットとを備えた撮像装置が知られている（特許文献１参照）。このような撮像装置に採用されるシャッタユニットは、羽根を駆動するための駆動源を備えている。駆動源は、一般的に外部から電力の供給を受けて羽根を駆動させる。
【０００３】
【特許文献１】特開２００６‐６４７６９号公報
【発明の開示】
【発明が解決しようとする課題】
【０００４】
図１０（Ａ）は、従来の撮像装置の分解斜視図である。従来の撮像装置は、シャッタユニット１ｘと撮像ユニット１００ｘとから構成され、シャッタユニット１ｘには、筐体２ｘの上面に形成された開口部１１ｘの開口量を調節するための羽根（不図示）と、羽根を駆動するためのアクチュエータを内蔵している。アクチュエータは、ロータと、ステータと、ステータを励磁するためのコイル（いずれも不図示）とを含む。
【０００５】
また、撮像ユニット１００ｘには、撮像素子（不図示）と、撮像素子が実装された制御基板１２０ｘとを備え、撮像素子へ入射光を案内するための開口部１１０ｘが、筐体１０２ｘの上部に形成されている。シャッタユニット１ｘには、このアクチュエータのコイルと、制御基板１２０ｘとを電気的に接続するための、フレキシブルプリント基板（以下、ＦＰＣと称する）８０ｘが設けられている。ＦＰＣ８０ｘは、筐体２ｘ内で、コイルと電気的に接続されており、筐体２ｘの内部から外部へＦＰＣ８０ｘが引き出されている。
【０００６】
図１０（Ｂ）は、撮像ユニット１００ｘに対して筐体２ｘの組付け後の従来の撮像装置の斜視図である。図９（Ｂ）に示すように、両面テープなどで撮像ユニット１００ｘの上部にシャッタユニット１ｘを固定し、その後、ＦＰＣ８０ｘの先端部に形成されたランド部８１ｘを、制御基板１２０ｘの底面側にまで引き伸ばして、半田及び導電性接着剤などでランド部８１ｘと制御基板１２０ｘとを電気的に接続する。これにより、制御基板１２０ｘとコイルとは、ＦＰＣ８０ｘを介して電気的に接続される。例えば、制御基板１２０ｘにコイルの通電を制御するためのＩＣなどが実装された場合には、ＩＣの作動によって、コイルへの通電状態を制御することができる。これにより、シャッタユニット１ｘに内蔵された羽根の駆動を制御することができる。
【０００７】
しかしながら、このようにシャッタユニット１ｘの外部に引き出されたＦＰＣ８０ｘを採用すると、ＦＰＣ８０ｘを制御基板１２０ｘの底面側にまで引き伸ばして、半田でＦＰＣ８０ｘと制御基板１２０ｘとの電気的な接続を確保する必要があった。従って、このような半田付けの作業は、組立作業性が悪化する原因となっていた。また、撮像ユニット１００ｘにシャッタユニット１ｘを固定する際には、互いに正確な位置で固定する必要があるが、これを実現するために、位置決め手段を設ける必要があった。位置決め手段を設けると、構造が複雑化する。
【０００８】
そこで、本発明は、組立作業性が向上すると共に構造が簡素化された撮像装置を提供することを目的とする。
【課題を解決するための手段】
【０００９】
上記目的は、撮像素子と前記撮像素子が実装された制御基板とを含む撮像ユニットと、前記撮像素子へ入射する光量を調節する羽根と前記羽根を駆動するための駆動源とを含むシャッタユニットとを備えた撮像装置であって、前記シャッタユニットは、前記駆動源のコイルと電気的に接続された端子部を含み、前記端子部は、前記シャッタユニットの外部へ突出して前記制御基板と電気的に接続され、前記端子部及び前記撮像ユニットは、互いに位置決めする位置決め手段を備え、前記シャッタユニットは、前記端子部を介して前記撮像ユニットと位置決めされている、ことを特徴とする撮像装置によって達成できる。
【００１０】
この構成により、駆動源のコイルは端子部を介して制御基板と電気的に接続され、また、シャッタユニットと撮像ユニットは、互いに位置決めされる。従って、従来の半田付けなどの作業を省くことができ、組立作業性が向上した撮像装置を提供できる。また、端子部に対して、機能の集約化を図ることができるので、構造の複雑化を抑制できる。
【００１１】
上記構成において、前記端子部は、該端子部の弾性復元力により前記制御基板に圧接している、構成を採用できる。この構成により、端子部と制御基板との電気的な接続状態を安定して維持することができる。また、半田付け及び導電剤の塗布などの作業工程を省くことができる。
【００１２】
上記構成において、前記撮像ユニットは、前記端子部を逃がす凹部を有している、構成を採用できる。この構成により、端子部が外部へと突出していることに伴う、撮像装置の大型化を抑制できる。
【００１３】
上記構成において、光軸方向から視て矩形状に形成されている、構成を採用できる。この構成によっても撮像装置の大型化を抑制できる。
【００１４】
上記構成において、前記端子部は、略矩形状に形成された前記シャッタユニットの隅部から突出している、構成を採用できる。この構成により、撮像装置のスペースを有効に利用できる。
【００１５】
上記構成において、前記位置決め手段は、前記端子部及び撮像ユニットのいずれか一方に形成された孔部と、他方に形成されて前記孔部と係合する突部とを含む、構成を採用できる。この構成により、撮像装置の構造の複雑化を抑制し、組立性を向上させることができる。
【００１６】
上記構成において、前記位置決め手段は、前記端子部及び撮像ユニットのいずれか一方に形成された切欠部と、他方に形成されて前記切欠部と係合する突部とを含む、構成を採用できる。この構成によっても、撮像装置の構造の複雑化を抑制し、組立性を向上させることができる。
【発明の効果】
【００１７】
本発明によれば、組立作業性が向上すると共に構造が簡素化された撮像装置を提供できる。
【発明を実施するための最良の形態】
【００１８】
以下、本発明に係る羽根駆動装置の複数の実施例について図面を参照して説明する。
【実施例１】
【００１９】
図１は、実施例１に係る撮像装置の斜視図であり、図２は、側面図、図３は、撮像装置を、シャッタユニット１と撮像ユニット１００とに分解した斜視図である。シャッタユニット１は、詳しくは後述するが、内部に羽根、及び羽根を駆動するための駆動源であるアクチュエータを備えている。また、シャッタユニット１は、図１乃至図３に示すように、開口部１１を有しており、羽根によって開口部１１の開口量が調節される。シャッタユニット１の筐体２は、所定の厚みを有して矩形状に形成されている。
【００２０】
撮像ユニット１００は、図２に示すように、制御基板１２０と、制御基板１２０に実装された撮像素子１３０などを備える。また、撮像ユニット１００の筐体１０２には、撮像素子１３０への入射光を案内するための開口部１１０が形成されている。シャッタユニット１に内蔵された羽根が開口部１１の開口量を調節することにより、撮像素子１３０への入射光の光量を調節することができる。尚、撮像ユニット１００内には、光軸上にレンズ（不図示）が配置されている。撮像ユニット１００の筐体１０２は、角筒状に形成されている。図１、図２に示すように、撮像装置は、直方体状に形成されている。
【００２１】
図１乃至図３に示すように、シャッタユニット１は、筐体２内から外部に光軸方向に突出した端子部８０Ｌ、８０Ｒを備えている。端子部８０Ｌ、８０Ｒは、略矩形状に形成された筐体２の底面の、対角線上の隅部から外部に突出している。端子部８０Ｌ、８０Ｒは、導電性を有する金属材料により薄板状に形成されている。
【００２２】
端子部８０Ｌには、孔部８１Ｌが形成されている。また、端子部８０Ｌの先端には曲部８２Ｌが形成されている。曲部８２Ｌは、側面視でＬ字状に形成されている。曲部８２Ｌは、撮像ユニット１００の外側を向くように形成されている。端子部８０Ｒも、端子部８０Ｌと同様に構成されている。端子部８０Ｌ、８０Ｒは、シャッタユニット１に内蔵された羽根を駆動するための駆動源であるアクチュエータ（不図示）のコイル（不図示）と電気的に接続されている。
【００２３】
撮像ユニット１００には、端子部８０Ｌ、８０Ｒと対応する位置に、凹部１８０Ｌ、１８０Ｒが形成されている。即ち、撮像ユニット１００の対角線状に隅部に凹部１８０Ｌ、１８０Ｒが形成されている。凹部１８０Ｌには、光軸方向の略中央部に突部１８１Ｌが形成されている。突部１８１Ｌ、孔部８１Ｌは、撮像ユニット１００に対してシャッタユニット１が組み付けられる際に、互いに係合するように形成されている。突部１８１Ｌ及び長孔８１Ｌは、端子部８０Ｌと撮像ユニット１００とを互いに位置決めする位置決め手段に相当する。これにより、シャッタユニット１と撮像ユニット１００とは互いに位置決めされる。この点は、凹部１８０Ｒ、端子部８０Ｒについても同様である。
【００２４】
図１及び図２に示すように、撮像ユニット１００に対するシャッタユニット１の組み付け後は、曲部８２Ｌと制御基板１２０の上面とが接する。曲部８２Ｌと接する制御基板１２０の部分には、端子部８０Ｌと電気的な接続を確保するためのパターンが形成されている。また、制御基板１２０には、シャッタユニット１に内蔵された羽根を駆動するためのアクチュエータの作動を制御するためのＩＣ（不図示）が実装されている。従って、制御基板１２０上に形成されたパターンを介して、ＩＣと曲部８２Ｌとは電気的に接続される。端子部８０Ｒについても同様である。これにより、ＩＣによってアクチュエータの作動が制御される。
【００２５】
以上のように、制御基板１２０とアクチュエータのコイルとは、端子部８０Ｌ、８０Ｒを介して電気的に接続される。また、突部１８１Ｌと孔部８１Ｌとの係合によって、シャッタユニット１と撮像ユニット１００とが位置決めされる。従って、従来のように、ＦＰＣと制御基板１２０との電気的な接続を確保するための半田付けなどの作業を省くことができ、組立作業性が向上する。また、端子部８０Ｌ、８０Ｒは、アクチュエータと制御基板１２０との電気的な接続を確保すると共に、シャッタユニット１と撮像ユニット１００との位置決めを行うので、端子部８０Ｌ、８０Ｒに対して機能の集約化を図ることができる。これにより、部品点数の増大や構造の複雑化を抑制できる。
【００２６】
凹部１８０Ｌ、１８０Ｒは、それぞれ端子部８０Ｌ、８０Ｒを逃がすように構成され、撮像装置は、光軸方向から視て矩形状に構成されている。このため、端子部８０Ｌ、８０Ｒのみが、撮像ユニット１００の筐体１０２の外部から大きく突出して、撮像装置の大型化が抑制される。
【００２７】
次に、端子部８０Ｌの曲部８２Ｌについて説明する。図４は、曲部８２Ｌの説明図である。図４は、端子部８０Ｌと制御基板１２０とを側面から見た模式図である。尚、筐体１０２などについては省略してある。図４に示すように、曲部８２Ｌは、側面がＬ字状に形成されている。このため、制御基板１２０と端子部８０Ｌとの接触面積を確保することができる。従って、制御基板１２０と端子部８０Ｌとの電気的な接続を確保することができる。
【００２８】
また端子部８０Ｌは、弾性変形可能に形成されており、端子部８０Ｌの弾性復元力によって制御基板１２０に圧接するように、端子部８０Ｌは、実際の筐体１０２の光軸方向の高さよりも若干長めに形成されている。尚、この点は、端子部８０Ｒも同様である。これにより、撮像ユニット１００に対してシャッタユニット１を組み付けた後は、端子部８０Ｌ、８０Ｒと制御基板１２０との電気的な接続状態を安定して維持することができ、半田付け及び導電剤の塗布などの作業工程を省くことができる。
【００２９】
次に、シャッタユニット１の詳細について説明する。図５（Ａ）は、シャッタユニット１の内部構成を示した正面図、図５（Ｂ）は、図５（Ａ）のＡ−Ａ断面図である。図５（Ａ）、（Ｂ）に示すように、シャッタユニット１は、第１ケース１０、第２ケース２０、羽根３０、ロータ４０、鉄片５０Ｌ、５０Ｒ、コイル７０Ｌ、７０Ｒ、端子部８０Ｌ、８０Ｒなどから構成される。尚、図５（Ａ）においては、第１ケース１０については破線で示している。
【００３０】
筐体２は、第１ケース１０及び第２ケース２０から構成され、図５に示すように、羽根３０、ロータ４０、鉄片５０Ｌ、５０Ｒ、端子部８０Ｌ、８０Ｒの一部分等を内部に収納する。第１ケース１０及び第２ケース２０は、合成樹脂により成形されており、第１ケース１０は第２ケース２０よりも肉厚に形成されている。シャッタユニット１は、第１ケース１０が被写体側に、第２ケース２０が撮像ユニット１００側に向くようにして、撮像ユニット１００に固定される。第１ケース１０、第２ケース２０には、それぞれ開口部１１、２１が形成されている。尚、図１において第１ケース１０は、破線で示している。
【００３１】
羽根３０は、合成樹脂により成形されており、開口部１１、２１を開閉自在に支持されている。羽根３０は、ロータ４０と一体に揺動する。図５（Ａ）において羽根３０は、開口部１１、２１から退避しており、開口部１１、２１を全開状態にしている。
【００３２】
ロータ４０は、周方向に異なる極性に着磁されており、第１ケース１０及び第２ケース２０内で回転可能に支持されている。詳細には、ロータ４０は、第１ケース１０及び第２ケース２０内に形成された固定軸１３と摺動可能に係合する。
【００３３】
鉄片５０Ｌ、５０Ｒは、図５（Ａ）に示すように、第１ケース１０及び第２ケース２０の内周側面に沿うように配置されていると共に、開口部１１、２１の周囲をロータ４０部以外のほぼ全周に亘り囲うように配置されている。ロータ４０は、図５（Ａ）に示すように、正面から見てシャッタユニット１の隅部に配置されている。鉄片５０Ｌ、５０Ｒは、ロータ４０が配置された隅部と対角線上にある隅部で互いに重なって連結されている。鉄片５０Ｌ、５０Ｒは、それぞれ、略Ｌ字状に形成されている。鉄片５０Ｌ、５０Ｒは、ロータ４０と対向する部分に、それぞれ磁極部５１Ｌ、５１Ｒが形成されている。鉄片５０Ｌ、５０Ｒは、第１ケース１０に形成された固定ピン１５Ｌ、１５Ｒによって固定されている。
【００３４】
鉄片５０Ｌ、５０Ｒには、コイルボビン９０が組みつけられている。コイルボビン９０は、合成樹脂で形成されており、図５（Ａ）に示すように、それぞれコイル７０Ｌ、７０Ｒが巻回された２本の腕部と、一方の腕部の両端部にそれぞれ形成された鍔部９１Ｌ、９２Ｌと、他方の腕部の両端部にそれぞれ形成された鍔部９１Ｒ、９２Ｒとから構成される。ここで、コイル７０Ｌ、７０Ｒは、一本の素線から構成されている。
【００３５】
コイル７０Ｌ、７０Ｒは、鉄片５０Ｌ、５０Ｒを励磁するためのものである。コイル７０Ｌ、７０Ｒへの通電により、磁極部５１Ｌ、５１Ｒは、それぞれ異なる極性に励磁されて、ロータ４０に対して回転力が与えられる。即ち、鉄片５０Ｌ、５０Ｒは、これらが一体で、ロータ４０に回転力を与えるステータとして機能する。従って、ロータ４０、鉄片５０Ｌ、５０Ｒ、コイル７０Ｌ、７０Ｒ、コイルボビン９０は、羽根３０を駆動する駆動源であるアクチュエータとして機能する。
【００３６】
コイルボビン９０には、鍔部９２Ｌと鍔部９２Ｒとを連結する薄肉部９３が形成されている。薄肉部９３は、鍔部９２Ｌ等の他の部分よりも薄肉に形成されており、折り曲げ可能に形成されている。コイルボビン９０は、図５（Ａ）に示めすように、鍔部９２Ｌと鍔部９２Ｒとが直角をなすように、薄肉部９３で折り曲げられている。
【００３７】
図５（Ａ）（Ｂ）に示すように、コイルボビン９０の鍔部９１Ｌと鍔部９１Ｒには、それぞれ端子部８０Ｌ、８０Ｒがインサート成型により一体となって形成されている。端子部８０Ｌ、８０Ｒは、第２ケース２０の隅部に形成された逃げ孔２８Ｌ、２８Ｒを介して、第１ケース１０及び第２ケース２０の内部から外部へと突出している。また、端子部８０Ｌ、８０Ｒは、曲部８２Ｌ、８２Ｒが形成された端部と反対側の端部において、取付部８３Ｌ、８３Ｒが形成されており、取付部８３Ｌ、８３Ｒには、それぞれコイル７０Ｌ、７０Ｒの一端が、半田部８９Ｌ、８９Ｒによって電気的に接続されている。これにより、コイル７０Ｌ、７０Ｒと、端子部８０Ｌ、８０Ｒとは、電気的に接続される。
【００３８】
次に、第１の変形例に係る撮像装置について、図面を参照して説明する。尚、第１の変形例に係る撮像装置については、前述した撮像装置と類似の部分には類似の符号を付することにより、その部分の説明を省略する。図６（Ａ）は、第１の変形例に係る撮像装置の、シャッタユニット１ａの内部構成を示した正面図、図６（Ｂ）は、図６（Ａ）のＡ−Ａ断面図である。
【００３９】
図６（Ｂ）に示すように、端子部８０Ｌａ、８０Ｒａは、第１ケース１０及び第２ケース２０内から、第１ケース１０側に突出している。また、第１ケース１０には、図示していないが端子部８０Ｌａ、８０Ｒａを逃がす逃げ孔が形成されている。シャッタユニット１ａは、実施例１に係る撮像装置のシャッタユニット１と異なり、第１ケース１０が撮像ユニット１００側に、第２ケース２０が被写体側を向くように、撮像ユニット１００に固定される。
【００４０】
端子部８０Ｌａ、８０Ｒａは、それぞれ取付部８３Ｌａ、８３Ｒａで、第１ケース１０の内壁面に接着剤又は両面テープなどにより固定されている。取付部８３Ｌａ、８３Ｒａは、前述した取付部８３Ｌ、８３Ｒよりも、接着面積が大きく形成されている。また、取付部８３Ｌａ、８３Ｒａは、鉄片５０Ｌ、５０Ｒとは接触しない。また、取付部８３Ｌａ、８３Ｒａは、第１ケース１０の内壁面に固定された面の裏面で、それぞれコイル７０Ｌ、７０Ｒの一端が、半田部８９Ｌ、８９Ｒによって電気的に接続されている。このような構成であっても、コイル７０Ｌ、７０Ｒと、端子部８０Ｌａ、８０Ｒａとの電気的な接続を確保することができる。
【００４１】
次に、第２の変形例に係る撮像装置について説明する。図７（Ａ）は、第２の変形例に係る撮像装置を、シャッタユニット１ｂと撮像ユニット１００ｂとに分解した斜視図である。端子部８０Ｌｂには、略矩形状に切欠部８１Ｌｂが形成されている。また、凹部１８０Ｌｂには、切欠部８１Ｌｂの形状と対応するように、直方体状に突部１８１Ｌｂが形成されている。このような構成であっても、シャッタユニット１ｂと撮像ユニット１００ｂとは、互いに位置決めされる。
【００４２】
次に、第３の変形例に係る撮像装置について説明する。図７（Ｂ）は、第３の変形例に係る撮像装置を、シャッタユニット１ｃと撮像ユニット１００ｃとに分解した斜視図である。図７（Ｂ）に示すように、シャッタユニット１ｃには、３つの端子部８０Ｌ、８０Ｌｃ、８０Ｃが設けられている。端子部８０Ｌ、８０Ｌｃは、シャッタユニット１ｃの一辺の両端部にそれぞれ配置されている。端子部８０Ｌｃは、孔部８１Ｌｃ、曲部８２Ｌｃを有し、端子部８０Ｌと同様に構成されている。また、端子部８０Ｃは、この一辺と対向する辺の略中央部に配置されている。撮像ユニット１００ｃの筐体１０２ｃには、それぞれ対応する位置に、凹部１８０Ｌ、１８０Ｌｃ、１８０Ｃが形成されている。
【００４３】
端子部８０Ｃにも、符号は付さないが、位置決め手段に相当する孔部が形成されている。また、端子部８０Ｃは、端子部８０Ｌ、８０Ｌｃよりも、光軸方向の長さが短く形成されている。従って、端子部８０Ｃは、撮像ユニット１００に対するシャッタユニット１ｃの組み付け後は、端子部８０Ｃの先端部が制御基板１２０の上面に接することは無い。よって端子部８０Ｃは、撮像ユニット１００とシャッタユニット１ｃとを、互いに位置決めする位置決め手段に相当するが、シャッタユニット１ｃに内蔵されたアクチュエータと、制御基板１２０とを電気的に接続するものではない。
【００４４】
凹部１８０Ｌ、１８０Ｌｃは、それぞれ、シャッタユニット１ｃに内蔵されたアクチュエータのコイルと電気的に接続されており、この凹部１８０Ｌ、１８０Ｌｃとが制御基板１２０の上面と接することにより、アクチュエータと制御基板１２０とが電気的に接続される。
【００４５】
次に、第４の変形例に係る撮像装置について説明する。図８（Ａ）は、第４の変形例に係る撮像装置の、曲部８２Ｌｄを示した図である。図８（Ａ）に示すように、曲部８２Ｌｄは、側面視で湾曲したＪ字状に形成されている。このような形状であっても、端子部８０Ｌｄと制御基板１２０を接触した状態でシャッタユニットと撮像ユニットを保持することができる。また、撮像装置の組立後においては、これまでに前述した撮像装置と同様、端子部８０Ｌｄの長さが、撮像ユニットの筐体の光軸方向の長さよりも若干長めに形成され、また、弾性力を有しているため、端子部８０Ｌｄはその弾性復元力によって、制御基板１２０に圧接される。
【００４６】
次に、第５の変形例に係る撮像装置について説明する。図８（Ｂ）は、第５の変形例に係る撮像装置の、曲部８２Ｌｅを示した図である。図８（Ｂ）に示すように、曲部８２Ｌｅは、複数の箇所で折れ曲がって形成されている。このような構成であっても、第４の変形例に係る曲部８２Ｌｄと同様の効果を生じる。
【００４７】
次に、第６の変形例に係る撮像装置について説明する。図９（Ａ）は、第６の変形例に係る撮像装置の、シャッタユニット１ｆの内部構成を示した正面図、図９（Ｂ）は、図９（Ａ）のＡ−Ａ断面図である。
【００４８】
図９（Ａ）に示すように、シャッタユニット１ｆは、鉄片５０ｆ、６０Ｌｆ、６０Ｒｆ、中継部８０Ｍなどを備えている。鉄片５０ｆ、６０Ｌｆ、６０Ｒｆは、互いに連結されている。鉄片５０ｆは、図９（Ａ）に示すように、略コ字状に形成されている。鉄片６０Ｌｆ、６０Ｒｆは、それぞれ鉄片５０の端部と連結されている。鉄片５０ｆ、６０Ｌｆ、６０Ｒｆは、固定ピン１５Ｌ、１５Ｒ、１６Ｌ、１６Ｒによって第１ケース１０及び第２ケース２０内で固定されている。鉄片６０Ｌ、６０Ｒは、それぞれロータ４０と対向する磁極部６１Ｌｆ、６１Ｒｆが形成されている。鉄片５０ｆ、６０Ｌｆ、６０Ｒｆは、ステータとして機能する。鉄片５０の、互いに向かい合う腕部に、それぞれコイル７０Ｒｆ、７０Ｌｆが巻回されている。
【００４９】
コイル７０Ｒｆの一端は、端子部８０Ｒｆと、コイル７０Ｒｆの他端は、中継部８０Ｍと、半田部８９Ｒにより電気的に接続されている。同様に、コイル７０Ｌｆの一端は、端子部８０Ｌｆと、コイル７０Ｌｆの他端は、中継部８０Ｍと、半田部８９Ｌにより電気的に接続されている。中継部８０Ｍは、端子部８０Ｌｆ、８０Ｒｆと同一の電導性を有する金属材料によって平板状に形成されている。端子部８０Ｒｆと８０Ｌｆ及び中継部８０Ｍは、図９（Ｂ）に示すように、第１ケース１０の内壁面に接着剤又は両面テープで固定されている。電流は、例えば、端子部８０Ｌｆからコイル７０Ｌｆに流れ、続いて、中継部８０Ｍを介してコイル７０Ｒｆに流れて、端子部８０Ｒｆへ流れる。このように、中継部８０Ｍは、２本のコイル７０Ｌｆ、７０Ｒｆを電気的に接続する機能を有する。
【００５０】
以上本発明の好ましい一実施形態について詳述したが、本発明は係る特定の実施形態に限定されるものではなく、特許請求の範囲に記載された本発明の要旨の範囲内において、種々の変形・変更が可能である。
【００５１】
上記実施例において、第２ケースは合成樹脂により形成した例を示したが、金属の板で構成してもよい。
【００５２】
図９に示す実施例において、端子部８０Ｒｆと８０Ｌｆ及び中継部８０Ｍは、第１ケース１０の内壁面に接着剤又は両面テープで固定されている例を示したが、第１ケース１０にインサート成型した構成としてもよい。
【００５３】
位置決め手段は、端子部に形成され突部と、撮像ユニットに形成されてこの突部と係合する孔部又は切欠部とであってもよい。
【図面の簡単な説明】
【００５４】
【図１】図１は、実施例１に係る撮像装置の斜視図である。
【図２】図２は、実施例１に係る撮像装置の側面図である。
【図３】図３は、撮像装置を、シャッタユニットと撮像ユニットとに分解した斜視図である。
【図４】図４は、曲部の説明図である。
【図５】図５（Ａ）は、シャッタユニットの内部構成を示した正面図、図５（Ｂ）は、図５（Ａ）のＡ−Ａ断面図である。
【図６】図６（Ａ）は、第１の変形例に係る撮像装置の、シャッタユニットの内部構成を示した正面図、図６（Ｂ）は、図６（Ａ）のＡ−Ａ断面図である。
【図７】図７（Ａ）は、第２の変形例に係る撮像装置を、シャッタユニットと撮像ユニットとに分解した斜視図、図７（Ｂ）は、第３の変形例に係る撮像装置を、シャッタユニットと撮像ユニットとに分解した斜視図である。
【図８】図８（Ａ）は、第４の変形例に係る撮像装置の、曲部を示した図であり、図８（Ｂ）は、第５の変形例に係る撮像装置の、曲部を示した図である。
【図９】図９（Ａ）は、第６の変形例に係る撮像装置の、シャッタユニットの内部構成、図９（Ｂ）は、図９（Ａ）のＡ−Ａ断面図である。
【図１０】図１０（Ａ）は、従来の撮像装置の分解斜視図である。図１０（Ｂ）は、撮像ユニットに対して筐体の組付け後の従来の撮像装置の斜視図である。
【符号の説明】
【００５５】
１  シャッタユニット
２  筐体
１０  第１ケース
１１、２１  開口部
２０  第２ケース
２８Ｌ、２８Ｒ  逃げ孔
５０Ｌ、５０Ｒ  鉄片
７０Ｌ、７０Ｒ  コイル
８０Ｌ、８０Ｒ  端子部
８０Ｍ  中継部
８１Ｌ  孔部
８１Ｌｂ  切欠部
８２Ｌ  曲部
１００  撮像ユニット
１０２  筐体
１２０  制御基板
１８０Ｌ、１８０Ｒ  凹部
１８１Ｌ  突部
【図１】
0004850166.tif 000002
【図２】
0004850166.tif 000003
【図３】
0004850166.tif 000004
【図４】
0004850166.tif 000005
【図５】
0004850166.tif 000006
【図６】
0004850166.tif 000007
【図７】
0004850166.tif 000008
【図８】
0004850166.tif 000009
【図９】
0004850166.tif 000010
【図１０】
0004850166.tif 000011